(57)【要約】仮設土留め装置を支える１組の中間ブレース梁in三角形支持構造地下構造物を建設するための縦孔堀削作業中に、ので、it 可能良好に土圧を支える。よって、ことが可能である防止空間からbeing 低減／縮少されたby複雑化支持構造、低下する建設費を介して低減／縮少されたの使用法各種材質、及び増加作業空間生産性を向上させる。前記仮設土留め装置を簡素化／簡略化するコーナー連結構造、及びrein力する能力耐える前記土圧伝送されたから前記ブレース梁及び腹起こし. それによって、ことが可能である防止空間からbeing 低減／縮少されたby複雑化支持構造、低下する建設費を介して低減／縮少されたの使用法各種材質、及び増加作業空間to そのため／かくして改善／向上生産性。【選択図】図１
2009516109.tif 000002
【特許請求の範囲】
【請求項１】
仮設土留め装置、を含む: １組の中間ブレース梁は、取り付けられるの全域で中間部分堀削される 矩形領域内に地下縦孔堀削作業中にと、 及び腹起こしare と一体的に連結される前記中間ブレース梁の両端設定する、において、ことを特徴とする前記中間ブレース梁セットはには、が設けられている先行載荷ジャッキat中間その、及びは斜め切梁と連結される第１及び第２コネクタを介してその各端部の左右側に、その両端が三角形支持構造を形成するように。
【請求項２】
前記仮設土留め装置記載の請求項１、において、ことを特徴とする各第１コネクタは挟入された間の片側の前記中間ブレース梁セット及び一端の各斜め切梁、及びには、が含まれる鉛直梁すなわちに連結された前記中間ブレース梁セット、及び第１及び第２を支えるing 梁are 斜めにに連結されたの両端片側の前記鉛直梁ように形状三角形形状。
【請求項３】
前記仮設土留め装置記載の請求項１、において、ことを特徴とする各第２コネクタは挟入された間のの他端各斜め切梁及び各腹起こし、及びには、が含まれる横梁すなわちと平行に
及びin 表面接触／連絡先 と各腹起こし、及び第１及び第２連結する梁are 斜めにに連結されたの両端片側の前記横梁ように形状三角形形状。
【請求項４】
前記仮設土留め装置記載の請求項３、において、ことを特徴とする各第２コネクタはin 表面接触／連絡先 と剪断キーポイントとなる／重要な、which が設けられる／が提供されるon 各腹起こし。
【請求項５】
前記仮設土留め装置記載の請求項３、において、ことを特徴とするのそれぞれ前記第１及び第２コネクタはH-梁を有するweb 及びフランジ、及び少なくとも１つのstiffener は溶接ed to前記web
するために増加圧縮力。
【請求項６】
前記仮設土留め装置記載の請求項１、さらなるを含むコーナー連結構造を含む: 筋かい入りの壁は、取り付けられる堀削部分と平行に地下縦孔堀削作業中にと、 １組のブレース梁に連結される前記筋かい入りの壁at の各コーナー間前記縦孔堀削作業及び土圧を支えると、 及びコーナーコネクタ、を有する:
横梁各腹起こしと連結される、前記横梁の一端に斜めに連結される圧縮梁及びの一端に一体的に連結される前記ブレース梁セット、及び斜め切梁前記圧縮梁の一端及び前記横梁の他端に連結される。
【請求項７】
前記仮設土留め装置記載の請求項６、において、ことを特徴とする前記斜め切梁及び前記圧縮梁are 連結されたに対して鉛直に互いに。
【請求項８】
前記仮設土留め装置記載の請求項６、において、ことを特徴とする前記コーナーコネクタはH-梁を有するweb 及びフランジ、及び少なくとも１つのstiffener はと共役／連結され前記web。
【請求項９】
前記仮設土留め装置記載の請求項６、において、ことを特徴とする前記横梁及び前記圧縮梁を有するreinf又はcing プレート一体的に共役／連結されたtここで間の提供するために補強。
【請求項１０】
前記仮設土留め装置記載の請求項６、において、ことを特徴とする各腹起こし
には、が含まれる剪断キーポイントとなる／重要なat位置と接触して前記横梁圧縮力そのは伝送された。
【請求項１１】
前記仮設土留め装置記載の請求項１、さらなるを含むコーナー連結構造、を含む: ブレース梁１列に配置されるat所定の間隔各コーナーを支えるよう地下縦孔堀削作業中にと、
及び少なくとも１つの連結板と一体的に連結されるの各ブレース梁の上面及び下面の任意の１つbyカップリング手段ようにinter連結する前記ブレース梁。
【請求項１２】
前記仮設土留め装置記載の請求項１１、さらなるを含む少なくとも１つのstiffener 突出する外方に／外側に向かってから単一表面の前記連結板in長手方向。
【請求項１３】
前記仮設土留め装置記載の請求項１１、において、ことを特徴とする前記カップリング手段には以下が含まれる。
複数の通孔設けられたto 各ブレース梁及び前記連結板と、 ボルト貫通する前記通孔と、 及びナットねじed onto前記ボルト。
【請求項１４】
前記仮設土留め装置記載の請求項１１、において、ことを特徴とする前記連結板を有するquadri外側／横形状、は複数数では、及びはin積層配置。
【発明の詳細な説明】
【技術分野】
【０００１】
本発明は、一般的には仮設土留め装置に関するものであり、特に、地下構造物を建設するための縦孔堀削作業中に構造の簡素化を介して土圧に耐える能力増加することができる仮設土留め装置に関するものである。
【背景技術】
【０００２】
当技術分野で公知のように、地下鉄構造又は縦孔堀削作業では、建物の地階を形成するため、所定の深さと指定の面積で孔が掘られ、次いで垂直杭が前記孔に打ち込まれる。前記鉛直杭が打ち込まれた後に、前記地盤は部分的に堀削され、次いでＨビーム及び覆工板が設置される。前記覆工板の設置の後に、残りの地盤が堀削され、ブレース梁が繰り返し設置され、続いて堀削が行われる。従って、この仮設構造を設計するために、各ブレース梁に作用する土圧及び負荷が各堀削工程ごとに繰り返して計算されなければならず、前記ブレース梁は、そのように決定された最大土圧と負荷に耐えるように設置される。
【０００３】
この設計及び構造は多くのブレース梁を必要とする。ほとんどの場合では、前記ブレース梁は２ｍ〜３ｍの間隔で密に配設される。前記密なブレース梁は、前記堀削縦孔において建設資材の搬送・輸送、重機器の持ち込みや運転などを妨げる主な障害物となり、その主構造物が引き続いて形成される際に型枠作業や補強作業を相当に妨害する。
さらに、前記主構造物におい前記密なブレース梁が不可避的に複数の孔の形成を必要とするので、完成地下構造物の防水に重大な問題を引き起こす。
【０００４】
前記鉛直杭は、鋼のＨビームを用いる方法、孔が穿設されてコンクリートが流し込まれるコンクリート杭を用いる方法、Ｈビームとともにコンクリート杭を用いる方法、及び矢板杭を用いる方法などのさまざまな方法に従って設定される。これらの方法は、地盤への孔掘り、杭の壁への形成、及び地盤負荷の支持の基本原理において異なるところがない。
【０００５】
さらに、その他方法もある。それらは、プレフレックスビームを前記鉛直杭として用いる方法、及び剛性を増すため矢板杭をＨビームに取り付ける方法である。
【０００６】
なお、前記地下構造物を仮設建設するための方法の中には、上記のブレース梁を必要としないアースアンカーを用いて鋼杭を支える方法がある。
【０００７】
この方法は、前記杭後方における地盤への斜め孔堀り作業、前記孔への鋼線又は棒鋼の挿入、機械的方法又はエポキシグラウト又はセメントグラウトなどの化学的方法を用いた前記挿入鋼線又は棒鋼端部のアンカー止め、及び張力イオンing前記鋼杭を固定するための前記アンカー止めされた鋼線又は棒鋼への張力印加を要する。
【０００８】
この仮設方法には、その建設構造が十分な内部空間を確保するため、作業を行うことが困難であるという問題が軽減されるという点に利点がある。
【０００９】
しかしながら、この仮設方法は、開発された都会で実施されるほとんどの場合に周囲の私有地が侵害されるため、大衆によって広く批判されており、さらに、そのコストも相当に高い。
【００１０】
堀削縦孔を横切って配設されたブレース梁をトラスを用いて仮設構造から取り外す方法は特許文献１で開示されている。この方法は、地盤が比較的に浅く堀削され、Ｈビームが格子形状で地表近くに二重形成され、鉛直梁及び斜め切梁によって補強されている場合に適用できることが期待される。それによって、地表に近接する２層トラスはその土圧に耐えられるようになる。
【００１１】
この方法は、前記仮設構造のブレース梁に起因する前記主構造物の堀削及び設置における問題を克服するために考案され、幅広い構造物がその堀削地盤の下部分に形成され、幅狭い構造がその堀削地盤の上部分に形成される状況において便利な方法として見なされている。
【００１２】
通常、前記ブレース梁は主に縦孔堀削作業で使用される。かかる作業中にその上部から見ると、その土圧によるモーメントが矩形領域の中央部分において最大となっているので、その中央部分は他部分よりも大きな支圧強度を持たなければならない。
【００１３】
従って、前記中央部分は多くの中央ブレース梁を必要とする。これは、建設費を増加させる要因となるとともに、前記構造を複雑化する。それによって、その作業空間は狭くなり、かくして生産性を低減する。
【特許文献１】韓国実用新案登録番号第２０-２５８９４９号
【発明の開示】
【発明が解決しようとする課題】
【００１４】
よって、本発明は、前記従来の技術における問題点を解決すべくなされたものであり、本発明の目的は、その中央には先行載荷ジャッキを有する１組の中間ブレース梁が、そしてその両端には三角形の支持構造が、それぞれ地下構造物を建設するための縦孔堀削作業中に中間堀削部分に取り付けられ、それによって構造の簡素化を介して土圧に耐える能力を増加させる仮設土留め装置を提供することである。
【００１５】
本発明の別の目的は、地下構造物を建設するための縦孔堀削作業中にコーナー連結構造が堀削部分の各コーナーに適用され、それによって構造上の簡素化を介して土圧に耐える能力増加する仮設土留め装置を提供することである。
【００１６】
本発明の別の目的は、地下構造物を建設するための縦孔堀削作業中にブレース梁が堀削部分の各コーナーにおいて相互連結される、それによって前記ブレース梁が単一部材の如く機能するように、土圧が伝達されるブレース梁をトラス構造に形成する仮設土留め装置を提供することである。
【課題を解決するための手段】
【００１７】
前記上記目的を達成するため、本発明の一態様によれば、以下が含まれる仮設土留め装置が提供される。１組の中間ブレース梁が、地下縦孔堀削作業中に矩形領域内に堀削された中間部分の全域で取り付けられることと、腹起こしが前記中間ブレース梁セットの両端と一体的に連結されること。ここで、前記中間ブレース梁セットには、その中間において先行載荷ジャッキが設けられ、その両端が三角形支持構造を形成するように、第１及び第２コネクタを介してその各端部の左右側に斜め切梁と連結される。
【００１８】
本発明の別の態様によれば、地下縦孔堀削作業中に堀削部分と平行に取り付けられる筋かい入りの壁と、前記縦孔堀削作業において各コーナーで前記筋かい入りの壁に連結され、土圧を支える１組のブレース梁と、各腹起こしと連結される横梁を持つコーナーコネクタと、前記横梁の一端に斜めに連結され、前記ブレース梁セットの一端に一体的に連結される圧縮梁と、前記圧縮梁の一端及び前記横梁の他端に連結される斜め切梁と、が含まれる仮設土留め装置が提供される。
【００１９】
本発明のまた一つの態様によれば、が含まれる仮設土留め装置が提供される。地下縦孔堀削作業中に各コーナーを支えるように所定の間隔で１列に配置されるブレース梁と、少なくとも１つの連結板と一体的に連結されるの各ブレース梁の上面及び下面の任意の１つbyカップリング手段ようにinter連結する前記ブレース梁。
【発明の効果】
【００２０】
本発明の第１実施形態によれば、前記仮設土留め装置は適合させるed が容易に行える前記連結するの構造前記中間ブレース梁セット及びrein力前記する能力耐える前記土圧伝送されたから前記筋かい入りの壁及び前記腹起こしの間矩形縦孔堀削作業地下構造物を建設するための。
よって、前記仮設土留め装置を有する三角形支持構造を支える前記中間ブレース梁セット前記縦孔堀削作業において地下構造物を建設するための、ので、it 可能良好に土圧を支える。 よって、ことが可能である防止空間からbeing 低減／縮少されたby複雑化支持構造、低下する建設費を介して低減／縮少されたの使用法各種材質、及び増加作業空間to そのため／かくして改善／向上生産性。
【００２１】
さらに、前記前記中間ブレース梁の両端設定するare を支えるed in三角形支持構造。 従って、前記筋かい入りの壁to which前記土圧は実際に伝送されたは可能によって支援された広いr を支えるing 面積と比較した既存の／現存する構造を接続するための前記中間ブレース梁、ので、ことが可能である同時に適用／あてはまる量の圧縮力に対応する前記土圧及び増加支圧強度。
【００２２】
本発明の第２実施形態によれば、前記仮設土留め装置は適合させるed が容易に行える前記連結構造in 各コーナー及びrein力前記する能力耐える前記土圧伝送されたから前記筋かい入りの壁及び前記腹起こし地下構造物を建設するための縦孔堀削作業中に。
それによって、前記仮設土留め装置可能良好にを支える前記土圧伝送されたto 各コーナーを用いて簡単な／操作が簡単なコーナー連結構造地下構造物を建設するための縦孔堀削作業中に、ので、ことが可能である防止空間からbeing 低減／縮少されたby複雑化支持構造、低下する建設費を介して低減／縮少されたの使用法各種材質、及び増加作業空間to そのため／かくして改善／向上生産性。
【００２３】
本発明のに第３実施形態よれば、前記仮設土留め装置はように構成されたinter連結する前記ブレース梁に配置された行各コーナーで地下構造物を建設するための縦孔堀削作業中に。 前記仮設土留め装置統合／一体化前記行のブレース梁各コーナーでinトラス構造、ので、it 可能均一に伝送／送信水平式負荷、及びそのため／かくして得る十分耐久性に対して屈曲の負荷。
【発明を実施するための最良の形態】
【００２４】
リファレンス／参照であろうこのときbe 作るさらに詳細にto 模範的／例示的な発明の実施形態添付図面を参照して。
【００２５】
［実施形態１］
図１から４を参照すると、仮設土留め装置によれば／に従って第１実施形態本発明のには、が含まれる腹起こし２０are 一体的にと共役／連結され筋かい入りの壁(図示せず)、設置／据付と平行に鉛直に堀削部分矩形領域内に縦孔堀削作業中に、及び土圧を支える、１組の中間ブレース梁１００traverse ロング／長い側面の前記筋かい入りの壁及びを支える前記土圧伝送されたから前記筋かい入りの壁、斜め切梁２００斜めにを支える前記中間ブレース梁セット１００及び前記対応する腹起こし
２０その両端にようにbe と連結される前記中間ブレース梁セット１００及び前記対応する腹起こし ２０in三角形構造。
【００２６】
より具体的には、前記中間ブレース梁セット１００を含む複数ity その、及び構造になっている各中間ブレース梁接続されるようにbe 一体的にと共役／連結され前記腹起こし２０その両端に、及びはには、が設けられている先行載荷ジャッキ１５０その中間において、それによってを有する変動するする能力耐える前記土圧。
【００２７】
各腹起こし ２０を利用し得る単一の-層／レイヤー腹起こし 又は多-層／レイヤー腹起こし に応じて前記フットプリントの前記その堀削地盤の、及びは好ましくはpre-応力ed ように適合させる(前記モーメントof)前記土圧。
【００２８】
各斜め切梁２００は、取り付けられる斜めにに関連して／に関して前記中間ブレース梁１００及び前記対応する腹起こし
２０、tここでを形成することから三角形構造。 前記斜め切梁２００に一体的に連結される前記中間ブレース梁セット１００及び前記対応する腹起こし
２０、それぞれ、第１及び第２コネクタを介して３１０及び３２０その両端に。 前記第１及び第２コネクタ３１０及び３２０を有する約三角形形状ので、they 可能を支える前記の両端各斜め切梁２００。
【００２９】
前記第１コネクタ３１０は挟入された間の前記中間ブレース梁セット１００及び前記斜め切梁２００、及びには、が含まれる鉛直梁３１２すなわちに連結された前記中間ブレース梁セット１００、及び第１及び第２を支えるing 梁３１４及び３１６are 斜めにに連結されたの両端片側の前記鉛直梁３１２ようにを有する三角形形状。
【００３０】
さらに、前記第２コネクタ３２０は挟入された間の前記斜め切梁２００及び前記対応する腹起こし
２０、及びには、が含まれる横梁３２２すなわちと平行に 及びin 表面接触／連絡先 と前記腹起こし ２０、及び第１及び第２連結する梁３２４及び３２６are 斜めにに連結されたの両端片側の前記横梁３２２及び一体的にと共役／連結され前記他端の前記斜め切梁２００ようにを有する三角形形状。
【００３１】
前記横梁３２２の前記第２コネクタ３２０はボルトed on 片側の前記腹起こし ２０、及び前記第１及び第２連結する梁３２４及び３２６する働きをするジトリただしe 及びを支える前記負荷伝送されたから前記斜め切梁２００。
【００３２】
好ましくは、前記梁の前記第１及び第２コネクタ３１０及び３２０各利用／採用する標準的な／典型値H-梁を有するweb 及びフランジ。 少なくとも１つの第１stiffener ３１０a は溶接ed
to前記web の前記H-梁f又は前記第１コネクタ３１０、及び少なくとも１つの第２stiffener ３２０a は溶接ed to前記web の前記H-梁f又は前記第２コネクタ３２０。
【００３３】
前記第１及び第２stiffeners ３１０a 及び３２０a のそれぞれは好ましくは設けられたようにを支える圧縮力at部分別の部材は共役／連結された又は力は伝送された。
【００３４】
さらに、前記横梁３２２及び前記鉛直梁３１２を有する端部プレート溶接ed その両端にするためにbe と連結される前記対応する腹起こし ２０及び前記中間ブレース梁セット１００、それぞれ。
【００３５】
また、前記第１及び第２コネクタ３１０及び３２０を有する第１及び第２reinf又はcing プレート３１０b
及び３２０b 挟入された間の前記鉛直梁３１２及び前記第１を支えるing 梁３１４及び間の前記横梁３２２及び前記第１連結する梁３２４、それぞれ。 よって、前記第１及び第２コネクタ３１０及び３２０are in 表面接触／連絡先 と２x 側面のそれぞれ前記第１及び第２reinf又はcing プレート３１０b
及び３２０b、ので、they 可能増加前記する能力耐える圧縮力。
【００３６】
前記腹起こし ２０は好ましくはには、が設けられている剪断キーポイントとなる／重要な３２２a at前記位置前記圧縮力は伝送された。 前記剪断キーポイントとなる／重要な３２２a 接続されるby 高引張ボルト、及びはと接触して単一フランジの前記横梁３２２。
【００３７】
ため、前記圧縮力伝送されたto前記腹起こし ２０及び前記力伝送されたから前記斜め切梁２００作用するin 反対側の／逆の方向／指示、前記剪断キーポイントとなる／重要な３２２a する働きをする使用前記対向する／反対側の力to オフセット互いに。
【００３８】
前記の動作前記仮設土留め装置、を有するこの構造、によれば／に従って第１実施形態本発明の、説明するの下。
【００３９】
前記仮設土留め装置によれば／に従って第１実施形態本発明のはように構成された土圧を支えるon中間部分which は伝送されたを介して前記筋かい入りの壁by の設置前記斜め切梁２００f又は連結／結線 と前記腹起こし２０ようにを有する三角形支持構造at 前記中間ブレース梁の両端設定する１００。
【００４０】
現時点では、前記先行載荷ジャッキ１５０設置／据付at前記中間部分、好ましくはat前記センター、の前記中間ブレース梁セット１００伝送／送信負荷in 反対側の／逆の方向／指示。 それによって、前記前記中間ブレース梁の両端設定する１００適用／あてはまる圧力to前記反対側の／逆の腹起こし２０、及びそのため／かくして伝送／送信圧縮ベアリング力に対応する前記土圧to前記反対側の／逆の腹起こし２０。
【００４１】
さらに、前記圧縮力伝送されたから前記反対側の／逆の腹起こし２０は分注された及びを支えるed を介して前記斜め切梁２００設置／据付on前記前記中間ブレース梁の両端設定する１００to 形状三角形形状、ので、安定した支圧強度は可能得られた。
【００４２】
前記圧力伝送されたを介して各腹起こし
２０は、に伝送される前記端部プレートの各横梁３２２、which はin 表面接触／連絡先
とa ストッパーの対応する腹起こし ２０。 の場合各横梁３２２はと接触して前記剪断キーポイントとなる／重要な３２２a、前記圧縮力伝送されたから各腹起こし ２０作用するto 対向前記圧力伝送されたto前記横梁３２２を介して前記中間ブレース梁セット１００。 その結果、これらの力は可能オフセット及び打ち消す／相殺するed by 互いに、及び同時に前記支圧強度は可能設けられたby 高引張ボルト。
【００４３】
さらに、前記斜め切梁２００are に連結された前記中間ブレース梁セット１００及び前記反対側の／逆の腹起こし２０to
形状三角形支持構造、ので、前記圧縮力から前記反対側の／逆の腹起こしは可能分注された及びを支えるed inより以上安定したやり方。
【００４４】
さらに、前記第１及び第２stiffeners ３１０a 及び３２０a are 溶接ed to前記webs の前記第１及び第２コネクタを用いたH-梁、それぞれ、ので、they 可能増加剛性及びする能力耐える圧縮力。 さらに、前記第１及び第２コネクタ３１０及び３２０are には、が設けられている前記第１及び第２reinf又はcing プレート３１０b 及び３２０b、それぞれ、ので、they 可能作成するup f又は前記する能力耐える前記圧縮力伝送されたから前記斜め切梁２００。
【００４５】
［実施形態２］
前記仮設土留め装置によれば／に従って第２実施形態本発明のには、がさらに含まれるコーナー連結構造を用いた前記三角形支持構造配備されたin前記仮設土留め装置によれば／に従って前記第１実施形態本発明の。 この場合、前記仮設土留め装置可能増加前記効率の使用法空間及び前記する土圧に耐える能力構造上の簡素化を介して。
【００４６】
前記仮設土留め装置によれば／に従って第２実施形態本発明のには、がさらに含まれるコーナー連結構造を用いた前記上記- 記載された三角形支持構造。 を参照して／を参照すると図５を介して８、前記仮設土留め装置によれば／に従って第２実施形態本発明のには、が含まれる筋かい入りの壁５１０は、取り付けられると平行に鉛直に堀削部分縦孔堀削作業中に、腹起こし５２０及びブレース梁セット５５０are 一体的にと共役／連結され前記筋かい入りの壁５１０及び土圧を支える、及びコーナーコネクタ６００設けられるat コーナー形成されたby前記筋かい入りの壁５１０及びを支える前記土圧伝送されたから前記筋かい入りの壁５１０。
【００４７】
より具体的には、各ブレース梁セット５５０ことも可能である。
交換bystrut、及び各腹起こし ５２０は可能pre-応力ed ように適合させる前記モーメントの前記土圧。 さらに、各腹起こし ５２０を利用し得る単一の-層／レイヤー腹起こし 又は多-層／レイヤー腹起こし に鑑みて／を考慮して前記フットプリント及び前記深さの前記その堀削地盤の。
【００４８】
各コーナーコネクタ６００には、が含まれる横梁６１０、圧縮梁６２０、及び斜め切梁６３０、全てのその中でも形状安定した構造圧力は伝送されたそれに対して、すなわち三角形構造。
ここで、前記横梁６１０は一体的にと一体となる前記対応する腹起こし ５２０。 前記圧縮梁６２０はに連結された一端の前記横梁６１０及び一端の各ブレース梁セット５５０。
前記斜め切梁６３０連結する前記横梁６１０及び前記圧縮梁６２０。
【００４９】
前記横梁６１０は固定to 片側の前記対応する腹起こし ５２０によってボルト。 前記圧縮梁６２０はと連結される各ブレース梁セット５５０on 片側その、及び伝送／送信前記負荷の前記土圧、which は伝送されたから各ブレース梁セット５５０、to 他部材。 前記斜め切梁６３０する働きをするジトリただしe 及びを支える前記負荷伝送されたから前記圧縮梁６２０。
【００５０】
のそれぞれ前記横梁６１０、前記圧縮梁６２０、及び前記斜め切梁６３０好ましくは利用／採用する周知H-梁、to前記web その中でも少なくとも１つのstiffener ６５０は溶接ed.
【００５１】
前記tiffener ６５０は好ましくは設けられたto 部分前記部材are 共役／連結された又は前記力は伝送されたようにを支える圧縮力。
【００５２】
さらに、前記横梁６１０を有する端部プレート６１４溶接ed to 両端（反対） そのするためにbe と連結される前記対応する腹起こし
５２０。
【００５３】
また、reinf又はcing プレート８１０は挟入された間の前記横梁６１０及び前記圧縮梁６２０。
前記reinf又はcing プレート８１０はin 表面接触／連絡先 と前記横梁６１０及び前記圧縮梁６２０on ２x 側面その、ので、it 可能増加前記する能力耐える圧縮力。
【００５４】
前記リファレンス／参照数字"６０２"、which
を有するnot なお、been 記載された、を参照する／を意味する排出孔防止するためのrain水から収集／回収するin 各梁.
【００５５】
におけると同様図４、各腹起こし
５２０は好ましくはには、が設けられている剪断キーポイントとなる／重要な６１５at位置前記圧縮力は伝送された。 前記剪断キーポイントとなる／重要な６１５接続されるby 高引張ボルト、及びはと接触して前記他側の前記横梁６１０。
【００５６】
ため、前記圧縮力伝送されたto前記腹起こし ５２０及び前記力伝送されたから前記圧縮梁６２０作用するin 反対側の／逆の方向／指示、前記剪断キーポイントとなる／重要な６１５する働きをする使用前記対向する／反対側の力to オフセット互いに。
【００５７】
ではあるがnot 例示された、先行載荷ジャッキを有するシリンダーが設けられる／が提供されるat中間部分の各ブレース梁セット５５０。
好ましくは、各ブレース梁セット５５０はには、が設けられている対応するコーナーコネクタ６００を有する三角形構造その両端に、それによって伝送／送信圧縮力に対応する前記土圧から前記先行載荷ジャッキto前記圧縮梁６２０の前記対応するコーナーコネクタ６００。
【００５８】
前記の動作前記仮設土留め装置、を有するこの構造、によれば／に従って第２実施形態本発明の説明するの下。
【００５９】
前記仮設土留め装置によれば／に従って第２実施形態本発明のはように構成された土圧を支える、伝送されたを介して前記筋かい入りの壁５１０、を介して前記コーナーコネクタ６００、設置／据付間の前記ブレース梁セット５５０及び前記腹起こし５２０at前記コーナー定義済み／規定by前記筋かい入りの壁５１０。
【００６０】
現時点では、前記土圧on前記筋かい入りの壁５１０はによって支援された前記圧縮力伝送されたから前記ブレース梁セット５５０及びby前記横軸／横断圧力伝送されたから前記腹起こし５２０at前記コーナー。 前記圧縮梁６２０の各コーナーコネクタ６００ジトリただしes 及び伝送／送信前記圧力、which は伝送されたから各ブレース梁セット５５０、to前記横梁６１０及び前記斜め切梁６３０。 その結果、前記仮設土留め装置可能を有するの増大負荷担持する容量を用いて簡単な／操作が簡単な構造。
【００６１】
前記圧力伝送されたを介して各腹起こし
５２０は、に伝送される前記端部プレートの各横梁６１０、which はin 表面接触／連絡先
と前記対応する腹起こし ５２０。 の場合各横梁６１０はと接触して前記剪断キーポイントとなる／重要な６１５、前記圧縮力伝送されたから各腹起こし ５２０作用するに対して前記圧力伝送されたto 各横梁６１０を介して各ブレース梁セット５５０。 その結果、これらの力は可能オフセット及び打ち消す／相殺するed by 互いに、及び前記支圧強度は可能設けられたを用いて高引張ボルト。
【００６２】
さらに、前記tiffener ６５０は溶接ed to前記web の各コーナーコネクタ６００を用いた前記H-梁、ので、it 可能増加剛性及び前記する能力耐える前記圧縮力。 さらに、前記reinf又はcing プレートは挟入された間の前記横梁６１０及び前記圧縮梁６２０、ので、it 可能増加前記する能力耐える前記圧縮力伝送されたから各ブレース梁セット５５０。
【００６３】
［実施形態３］
前記仮設土留め装置によれば／に従って第３実施形態本発明のには、がさらに含まれるコーナー連結構造which はように構成された均一に伝送／送信水平式負荷to そのため／かくして得る十分する能力耐える屈曲の負荷を用いてブレース梁、に配置された行各コーナーで及び統合／一体化inトラス構造縦孔堀削作業地下構造物を建設するための実行されます。
【００６４】
を参照して／を参照すると図９を介して１３、前記仮設土留め装置によれば／に従って第３実施形態本発明のには、が含まれるブレース梁１１００are 斜めにに配置された行各コーナーで縦孔堀削作業地下構造物を建設するための実行されます、及びare 坦持筋かい入りの壁１０１０その両端に、及び少なくとも１つの連結板１２００inter連結する上部又は下面の前記隣人ing ブレース梁１１００を用いてカップリング手段。
【００６５】
より具体的には、前記連結板１２００を有する矩形形状、及びはには、が設けられている少なくとも１つのstiffener １２１０すなわち志向のin長手方向するためにレジスト鉛直屈曲の変形。
【００６６】
前記tiffener １２１０は一体的にに形成され単一切刃／縁の前記連結板１２００、又ははと一体化した前記連結板１２００を介して溶接。
前記tiffener １２１０を有する前記形状の条片又はL-形の／形状の角度。
ではあるがnot 例示された、前記連結板１２００を利用し得るH-梁.
【００６７】
図１３は正面図図解説明する変更形態の図１２。
前記連結板１２００に連結される上面及び下面の各ブレース梁１１０、それぞれ。 によれば／に従って前記状況の特定のサイト／部位、複数の連結板１２００は好ましくはで使用される積層配置。
必要があれば、前記tiffener １２１０は可能省略された。
【００６８】
前記連結板１２００引き起こす／を生じる原因となる前記行のブレース梁１１００to be に配置された並列／平行inトラス構造、及びする働きをする均一に伝送／送信前記負荷なしにleaning to 片側。
【００６９】
各ブレース梁１１００はと連結される腹起こし１０２０、which are 一体的にと共役／連結され前記筋かい入りの壁１０１０、その両端に。 あるいは、各ブレース梁１１００はと連結される前記腹起こし１０２０その両端にによって別個／分離構造。
【００７０】
前記カップリング手段する働きをする統合／一体化前記連結板１２００及び前記ブレース梁１１００によって溶接又は周知締結するing 部材を用いて、実例としては、ボルト１３１０及びナット１３２０。 を用いて前記締結するing 部材、各ブレース梁１１００及び前記連結板１２００are には、が設けられている大量の通孔１１０２及び１２０２f又は締結するing前記ボルト１３１０、それぞれ。 前記ボルト１３１０通過する前記通孔１１０２及び１２０２、次いでare 締結by前記ナット１３２０。
【００７１】
前記リファレンス／参照数字"１１５０"、which
を有するnot なお、been 記載された、ことを指摘しますベアリング梁b耳前記ブレース梁１１００in横軸／横断方向／指示。 少なくとも１つのベアリング梁１１５０は一体的に締結to前記下面の各ブレース梁１１００によって前記ボルト１３１０、それによってserving
to 防止前記ブレース梁１１００からbeing 折り曲げる上方にないしは下方にby前記負荷。
【００７２】
前記の動作前記仮設土留め装置、を有するこの構造、によれば／に従って第３実施形態本発明の説明するの下。
【００７３】
前記仮設土留め装置によれば／に従って第３実施形態本発明のはように構成されたinter連結する前記複数個の行のブレース梁１１００、which are に配置された並列／平行各コーナーで縦孔堀削作業地下構造物を建設するための実行されます、を用いて前記連結板１２００を有する矩形形状、ので、前記ブレース梁１１００間隔をおいてから互いにare 連結されたinto 単一構造、それによってbeを有するin統一化やり方に関連して／に関して負荷伝送されたからその各端部。
よって、前記負荷は均一に伝送されたto 各ブレース梁１１００、及び前記ブレース梁１１００are 防止からdeを介してting 又はflexing.
【００７４】
現時点では、前記連結板１２００are in 表面接触／連絡先 と前記上部ないしは下面の各ブレース梁１１００、及び前記通孔１１０２及び１２０２are 位置合わせされているed in鉛直方向／指示。 次いで、前記ボルト１３１０通過する前記通孔１１０２及び１２０２、及びare 締結by前記ナット１３２０。 それによって、前記アセンブリの前記仮設土留め装置は完了／完全なd.
【００７５】
When前記アセンブリは完了／完全なd、前記ブレース梁１１００を有するトラス構造各コーナーで、定義済み／規定by前記筋かい入りの壁。 従って、前記ブレース梁１１００re作用するto伝送された負荷in統合／一体化方式、及びそれによってを有する十分抵抗to 水平式屈曲の負荷。
【００７６】
さらに、前記tiffener １２１０突出する外方に／外側に向かってから単一表面の各連結板１２００は溶接ed to 各連結板１２００、ので、前記ブレース梁１１００可能レジスト上方にflexure
が、／しながら前記負荷の各ブレース梁１１００は伝送された。
【００７７】
なお、when前記地下構造物は十分に安定したto 防止前記地盤からcolラップing、前記仮設土留め装置は分解された及びre使用d. 現時点では、前記連結板１２００are 分離されたから各ブレース梁１１００by un締結するing前記ボルト１３１０及び前記ナット１３２０。
【００７８】
前記連結板１２００ばらつきがあるin サイズに応じて前記間隔間の前記行のブレース梁１１００。 従って、各連結板１２００はnot
必要なto を有する固定サイズ。
【図面の簡単な説明】
【００７９】
【図１】図１は本発明の第１実施形態による概略図上部平面図図解説明する仮設土留め装置。
【図２】図２は本発明の第１実施形態による斜視図図解説明する重要な一部in仮設土留め装置。
【図３】図３は本発明の第１実施形態による上部平面図図解説明する第１コネクタ、which は重要な一部、in仮設土留め装置。
【図４】図４は本発明の第１実施形態による上部平面図図解説明する連結する構造第２コネクタ、which は重要な一部、in仮設土留め装置。
【図５】図５は本発明の第２実施形態による概略図上部平面図図解説明する仮設土留め装置。
【図６】図６は拡大斜視図図解説明する図５の一部。
【図７】図７は断面図図解説明する図６の重要な一部。
【図８】図８は部分的な上部平面図図解説明する変更形態の前記コーナー連結する構造図５。
【図９】図９は本発明の第３実施形態のよる上部平面図図解説明する仮設土留め装置。
【図１０】図１０は拡大斜視図図解説明する図９のB部。
【図１１】図１１は上部平面図図解説明する図９の重要な一部。
【図１２】図１２は正面図図解説明する図９の重要な一部。
【図１３】図１３は正面図図解説明する図１２の変更形態。
【図１】
2009516109.tif 000003
【図２】
2009516109.tif 000004
【図３】
2009516109.tif 000005
【図４】
2009516109.tif 000006
【図５】
2009516109.tif 000007
【図６】
2009516109.tif 000008
【図７】
2009516109.tif 000009
【図８】
2009516109.tif 000010
【図９】
2009516109.tif 000011
【図１０】
2009516109.tif 000012
【図１１】
2009516109.tif 000013
【図１２】
2009516109.tif 000014
【図１３】
2009516109.tif 000015
【国際調査報告】
2009516109.tif 000016
2009516109.tif 000017